(57)【要約】【課題】メモリカードとしても活用でき，無線送受信部を希望する無線周波数規格に交替できる無線ＬＡＮカード及びその制御方法を提供する。【解決手段】本発明の無線ＬＡＮカードは，ＰＣＭＣＩＡスロット６が設けられたシステム本体３を有するコンピュータ１に接続される無線ＬＡＮカードであって，外部からのパケットデータを固有の周波数変調帯域にしたがって変調及び復調して無線送受信する無線送受信部が搭載された無線送受信ボードと；無線送受信ボードの接続可否を感知して，無線送受信ボードの接続時にＰＣＭＣＩＡスロットを通じて提供されたシステムデータをパケットデータに変換して無線送受信ボードに提供する制御部１３が搭載された無線ＬＡＮボード１０を含むことを特徴とする。【選択図】　図２
2004112753.tif 000002
【特許請求の範囲】
【請求項１】
ＰＣＭＣＩＡスロットが設けられたシステム本体を有するコンピュータに接続される無線ＬＡＮカードであって，
外部からのパケットデータを固有の周波数変調帯域にしたがって変調及び復調して無線送受信する無線送受信部が搭載された無線送受信ボードと；
前記無線送受信ボードの接続可否を感知して，前記無線送受信ボードの接続時に前記ＰＣＭＣＩＡスロットを通じて提供されたシステムデータをパケットデータに変換して前記無線送受信ボードに提供する制御部が搭載された無線ＬＡＮボードと；
を含むことを特徴とする，無線ＬＡＮカード。
【請求項２】
前記無線ＬＡＮボードは，前記ＰＣＭＣＩＡスロットに接続される本体接続部と，前記無線送受信ボードが着脱できるように接続される接続部と，前記本体接続部を通じて提供された前記システムデータを貯蔵するためのメモリ部と，を有し，
前記制御部は，前記無線送受信ボードの未接続時に前記本体接続部から提供されたシステムデータを前記メモリ部に貯蔵し，前記システム本体からの読み出し信号にしたがって前記メモリ部に貯蔵されたデータを読み出して，前記ＰＣＭＣＩＡスロットを通じて前記システム本体に出力するＰＣＭＣＩＡカードモードで動作することを特徴とする，請求項１に記載の無線ＬＡＮカード。
【請求項３】
前記無線ＬＡＮボードは，前記無線送受信ボードの接続可否を感知するための接続感知部をさらに有し，
前記制御部は，前記無線送受信ボードの接続時に前記システム本体にインタラプト信号を出力して，前記システムデータを前記無線送受信ボードに提供するための無線ＬＡＮカードモードで動作することを特徴とする，請求項１または２に記載の無線ＬＡＮカード。
【請求項４】
前記無線送受信部は，アンテナと，アナログ信号とデジタル信号に相互変換するアナログデジタルコンバータと，前記制御部から提供されたパケットデータを前記アナログデジタルコンバータを経て予め設定された中間周波数を有する高周波信号に変換し，前記アンテナを通じて送信するＲＦ部と，前記アンテナを通じて受信された高周波信号から中間周波数を除去して低周波信号に変換した後，前記アナログデジタルコンバータを経て前記制御部に提供するベースバンド処理部と，を有することを特徴とする，請求項１，２，または３のうちのいずれか１項に記載の無線ＬＡＮカード。
【請求項５】
前記ベースバンド処理部は，ＯＦＤＭ周波数復調方式とＣＣＫ周波数復調方式のうちのいずれか一つの復調方式にしたがって前記パケットデータを復調することを特徴とする，請求項４に記載の無線ＬＡＮカード。
【請求項６】
ＰＣＭＣＩＡスロットが設けられたシステム本体を有する携帯用コンピュータに接続される無線ＬＡＮカードの制御方法であって，
前記ＰＣＭＣＩＡスロットを通じて提供されたシステムデータをパケットデータに変換する無線ＬＡＮボードを，前記ＰＣＭＣＩＡスロットに接続する段階と；
前記無線ＬＡＮボードに外部から提供されたパケットデータを無線周波数信号に変換して無線送受信する無線送受信ボードの接続可否を感知する段階と；
前記無線ＬＡＮボードと前記無線送受信ボードの接続時に前記システムデータをパケットデータに変換し，前記無線送受信ボードを通じて無線送受信する段階と；
を含むことを特徴とする，無線ＬＡＮカードの制御方法。
【請求項７】
前記無線ＬＡＮボードは，前記ＰＣＭＣＩＡスロットを通じて提供された前記システムデータを貯蔵するためのメモリ部を含み，
前記無線ＬＡＮボードと前記無線送受信ボードの未接続時に，前記システムデータを前記無線ＬＡＮボードのメモリ部に貯蔵する段階と；
前記システム本体からの要請に応じて，前記メモリ部に貯蔵されたシステムデータを読み出して，前記システム本体に出力する段階と；
をさらに含むことを特徴とする，請求項６に記載の無線ＬＡＮカードの制御方法。
【請求項８】
前記無線ＬＡＮボードと前記無線送受信ボードの接続時に，インタラプト信号を前記ＰＣＭＣＩＡスロットを通じて前記システム本体に提供して無線ＬＡＮカードモードに変換する段階をさらに含むことを特徴とする，請求項６または７に記載の無線ＬＡＮカードの制御方法。
【請求項９】
前記無線送受信ボードは，アンテナと，前記パケットデータを固有の周波数復調帯域にしたがって無線周波数に変調するＲＦ部と，前記アンテナを通じて受信された高周波信号を復調するベースバンド処理部と，を有し，前記無線ＬＡＮボードから提供されたパケットデータを固有の周波数変調帯域の信号に変調する段階と；
前記変調された高周波信号を，前記アンテナを通じて無線送受信する段階をさらに含むことを特徴とする，請求項６，７，または８のうちのいずれか１項に記載の無線ＬＡＮカードの制御方法。
【発明の詳細な説明】
【０００１】
【発明の属する技術分野】
本発明は，無線ＬＡＮ（Ｌｏｃａｌ　Ａｒｅａ　Ｎｅｔｗｏｒｋ）カードに係り，より詳細には，ＲＦ（Ｒａｄｉｏ　Ｆｒｅｑｕｅｎｃｙ）部を着脱できるように連結する無線ＬＡＮカード及び無線ＬＡＮカードの制御方法に関する。
【０００２】
【従来の技術】
一般に，開放型システム間の相互接続（ＯＳＩ：Ｏｐｅｎ　Ｓｙｓｔｅｍ　Ｉｎｔｅｒｃｏｎｎｅｃｔｉｏｎ）の参照モデル構造図において，規格化されたＯＳＩプロトコル階層は，最下位に物理層（Ｐｈｙｓｉｃｉａｌ　Ｌａｙｅｒ）が存在し，その上に媒体接近制御（ＭＡＣ：Ｍｅｄｉａ　Ａｃｃｅｓｓ　Ｃｏｎｔｒｏｌ）及び論理リンク制御（ＬＬＣ：Ｌｏｇｉｃａｌ　Ｌｉｎｋ　Ｃｏｎｔｒｏｌ）の機能をするデータリンク層（Ｄａｔａ　Ｌｉｎｋ　Ｌａｙｅｒ）が存在する。また，データリンク層の上位には，インターネットプロトコル設定機能をもつネットワーク層（Ｎｅｔｗｏｒｋ　Ｌａｙｅｒ）が存在し，その上に，ＴＣＰ（Ｔｒａｎｓｍｉｓｓｉｏｎ　Ｃｏｎｔｒｏｌ　Ｐｒｏｔｏｃｏｌ）設定機能をもつトランスポート層（Ｔｒａｎｓｐｏｒｔ　Ｌａｙｅｒ）が存在する。また，トランスポート層の上位には，セッション層，プレゼンテーション層，応用層が順次存在する。
【０００３】
ＬＡＮカードは，ネットワークに連結された複数のコンピュータの間のデータを送受信するためのインターフェースカードであって，ＯＳＩプロトコルの７階層の中で，物理層に該当する。
【０００４】
携帯用などのコンピュータの拡張機能のためのＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カードは，コンピュータ本体とＩＳＡ／ＥＩＳＡ／ＰＣＩ等のバスを，ＰＣＭＣＩＡシステムバースアダプタを通じてハードウェア的に連結するＰＣカードとして具現される。そして，ＰＣＭＣＩＡタイプの無線ＬＡＮカードは，物理層と媒体接近制御層とを同時に具現した装置を，ＰＣＭＣＩＡコントローラを通じてシステムバスに連結する。
【０００５】
無線でデータ送受信をすることができる無線ＬＡＮカードは，空中波を使用するので，ベースバンド信号を空中波に電送できる物理層が必要である。物理層は，Ａ／Ｄコンバータ及びＤ／Ａコンバータと，変調／復調部，アンテナなどからなる。
【０００６】
一方，無線ＬＡＮの物理層の規格の中で８０２．１１は，ＩＥＥＥ作業グループが開発し，現在８０２．１１，８０２．１１ａ，８０２．１１ｂ，８０２．１１ｇの４つに分けられる。この４つの規格は，経路の公有のため，全てインターネットプロトコルであるＣＳＭＡ／ＣＡを使用する。
【０００７】
８０２．１１は，ＰＳＫ（Ｐｈａｓｅ　Ｓｈｉｆｔ　Ｋｅｙｉｎｇ）復調方式を使用し，より早いデータ電送速度を提供するために，多重経路伝達による干渉を受けることが少ないＣＣＫ（Ｃｏｍｐｌｅｍｅｎｔａｒｙ　Ｃｏｄｅ　Ｋｅｙｉｎｇ）復調方式を使用する。８０２．１１ｂは，２．４ＧＨｚ帯域で動作し，秒当り１１Ｍｂｐｓの電送速度を提供する。８０２．１１ｂから発展した８０２．１１ａは，無線ＡＴＭシステムに適用され，５〜６ＧＨｚの無線周波数帯域の幅で動作し，ＯＦＤＭ（Ｏｒｔｈｏｇｏｎａｌ　Ｆｒｅｑｕｅｎｃｙ−Ｄｉｖｉｓｉｏｎ　Ｍｕｌｔｉｐｌｅｘｉｎｇ）復調方式を使用して，最高５４Ｍｂｐｓまでのデータ電送速度ができる。
【０００８】
ＰＣＭＣＩＡ無線ＬＡＮカードは，例えば８０２．１１ｂである場合，ＣＣＫ復調部と２．４ＧＨｚのＲＦ部とを有し，例えば８０２．１１ａである場合，ＯＦＤＭ復調部と５ＧＨｚのＲＦ部とを有する。また，８０２．１１ｂと８０２．１１ａとに対応する無線ＬＡＮカードには，ＣＣＫ復調部とＯＦＤＭ復調部，２．４ＧＨｚのＲＦ部及び５ＧＨｚのＲＦ部の設置が必要である。
【０００９】
【発明が解決しようとする課題】
ところが，８０２．１１ａ標準のカードだけを製造するには，５ＧＨｚ帯域の規制が国別に異なるので，無線周波数（Ｒａｄｉｏ　Ｆｒｅｑｕｅｎｃｙ）をチューニングした無線ＬＡＮカードを別途に製造しなければならない。また，ＰＣＭＣＩＡ無線ＬＡＮカードで８０２．１１ａと８０２．１１ｂとを同時に具現するカードは，カード製造のコストがアップして，使用者に負担感を与える。８０２．１１ａと８０２．１１ｂの標準のカードに設けられた媒体接近制御層は同一の構成を有するので，他の周波数標準を有するＰＣＭＣＩＡ無線ＬＡＮカードに交替する時に，ユーザは重複した費用を支うことになる。
【００１０】
そこで，ＰＣＭＣＩＡ無線ＬＡＮカードから物理層の機能を分離して，別途のボードを製造すると，物理層ボードだけを交替することにより，無線ＬＡＮカードの規格を容易に変更することができる。また，ＰＣＭＣＩＡメモリカードは，ＰＣＭＣＩＡ無線ＬＡＮカードから物理層を除いた構成とほぼ同一な仕様を有するので，ＰＣＭＣＩＡ無線ＬＡＮカードにＰＣＭＣＩＡメモリカードの機能を具現すると，その活用度が向上する。
【００１１】
本発明の目的は，上述した問題点を解決するため，メモリカードとして活用することができ，しかも，無線送受信部を希望する無線周波数規格に容易に交替することができる無線ＬＡＮカード及び無線ＬＡＮカードの制御方法を提供することである。
【００１２】
【課題を解決するための手段】
上記課題を解決するため，本発明の主たる観点によれば，ＰＣＭＣＩＡスロットが設けられたシステム本体を有する，例えば携帯用コンピュータに接続される無線ＬＡＮカードであって，外部からのパケットデータを固有の周波数変調帯域にしたがって変調及び復調して無線送受信する無線送受信部が搭載された，無線送受信ボードと；無線送受信ボードの接続可否を感知して，無線送受信ボードの接続時にＰＣＭＣＩＡスロットを通じて提供されたシステムデータをパケットデータに変換し，無線送受信ボードに提供する制御部が搭載された無線ＬＡＮボードとを含むことを特徴とする，無線ＬＡＮカードが提供される。
【００１３】
ここで，上記無線ＬＡＮボードは，ＰＣＭＣＩＡスロットに接続される本体接続部と，無線送受信ボードが着脱できるように接続される接続部と，本体接続部を通じて提供されたシステムデータを貯蔵するためのメモリ部とを有し，制御部は，無線送受信ボードの未接続時に本体接続部から提供されたシステムデータをメモリ部に貯蔵し，システム本体からの読み出し信号にしたがってメモリ部に貯蔵されたデータを読み出して，ＰＣＭＣＩＡスロットを通じてシステム本体に出力するＰＣＭＣＩＡカードモードで動作することが好ましい。
【００１４】
無線ＬＡＮボードは，無線送受信ボードの接続可否を感知するための接続感知部をさらに有し，制御部は，無線送受信ボードの接続時にシステム本体にインタラプト信号を出力し，システムデータを無線送受信ボードに提供するための無線ＬＡＮカードモードで動作することが好ましい。
【００１５】
無線送受信部は，アンテナと，アナログ信号とデジタル信号に相互変換するアナログデジタルコンバータと，制御部から提供されたパケットデータをアナログデジタルコンバータを経て予め設定された中間周波数を有する高周波信号に変換し，アンテナを通じて送信するＲＦ部と，アンテナを通じて受信された高周波信号から中間周波数を除去して低周波信号に変換した後，アナログデジタルコンバータを経て制御部に提供するベースバンド処理部とを有することが好ましい。
【００１６】
ベースバンド処理部は，ＯＦＤＭ周波数復調方式とＣＣＫ周波数復調方式のうちのいずれか一つの復調方式にしたがってパケットデータを復調することが好ましい。
【００１７】
上記課題を解決するため，本発明の他の観点によれば，ＰＣＭＣＩＡスロットが設けられたシステム本体を有する携帯用などのコンピュータに接続される無線ＬＡＮカードの制御方法であって，ＰＣＭＣＩＡスロットを通じて提供されたシステムデータをパケットデータに変換する無線ＬＡＮボードを，ＰＣＭＣＩＡスロットに接続する段階と；無線ＬＡＮボードに外部から提供されたパケットデータを無線周波数信号に変換して無線送受信する無線送受信ボードの接続可否を感知する段階と；無線ＬＡＮボードと無線送受信ボードの接続時にシステムデータをパケットデータに変換し，無線送受信ボードを通じて無線送受信する段階とを含むことを特徴とする，無線ＬＡＮカードの制御方法が提供される。
【００１８】
無線ＬＡＮボードは，ＰＣＭＣＩＡスロットを通じて提供されたシステムデータを貯蔵するためのメモリ部を含み，無線ＬＡＮボードと無線送受信ボードの未接続時にシステムデータを無線ＬＡＮボードのメモリ部に貯蔵する段階と；システム本体からの要請に応じて，メモリ部に貯蔵されたシステムデータを読み出し，システム本体に出力する段階とをさらに含むことが好ましい。
【００１９】
無線ＬＡＮボードと無線送受信ボードの接続時に，インタラプト信号をＰＣＭＣＩＡスロットを通じてシステム本体に提供して無線ＬＡＮカードモードに変換する段階とをさらに含むことが好ましい。
【００２０】
無線送受信ボードは，アンテナと，パケットデータを固有の周波数復調帯域にしたがって無線周波数に変調するＲＦ部と，アンテナを通じて受信された高周波信号を復調するベースバンド処理部とを有し，無線ＬＡＮボードから提供されたパケットデータを固有の周波数変調帯域の信号に変調する段階と；変調された高周波信号をアンテナを通じて無線送受信する段階をさらに含むことが好ましい。
【００２１】
【発明の実施の形態】
以下，添付した図面を参照して，本発明の実施の形態を詳細に説明する。なお，本明細書及び図面において，実質的に同一の機能構成を有する構成要素については，同一の符号を付することにより重複説明を省略する。
【００２２】
図１は，本実施の形態によるＰＣＭＣＩＡ無線ＬＡＮカードが適用される携帯用コンピュータの斜視図である。図１に示すように，携帯用コンピュータ１は，中央処理装置と，中央処理装置に連結されてＰＣＭＣＩＡ通信を制御するＰＣＭＣＩＡ制御部４（図２参照）等が内装されたシステム本体３と，システム本体３とヒンジにて連結されたＬＣＤ部２とを含んで構成される。システム本体３上には，ユーザ入力のための入力装置として，タッチパッド７及びキーボード装置９が設けられ，システム本体３の一側には，無線ＬＡＮカード１０，２０が収容されるベイ５が設けられる。ここで，ベイ５内には，ＰＣＭＣＩＡ制御部４と連結されたＰＣＭＣＩＡスロット（図２参照）が設けられている。
【００２３】
図２は，本実施の形態によるメモリカード機能を有するＰＣＭＣＩＡ無線ＬＡＮカードの，内部ブロック図である。図２に示すように，本実施の形態によりメモリカード機能を有するＰＣＭＣＩＡ無線ＬＡＮカードは，高周波信号で無線送受信する無線送受信部２０，３０と，システム本体１０から提供されたシステムデータをパケットデータに切り換えて無線送受信部２０，３０に提供する機能及びシステム本体３から提供されたシステムデータを貯蔵するメモリの機能をもつ無線ＬＡＮボード１０とを含んで構成される。ここで，無線送受信部２０と無線送受信部３０とは，相互に異なる無線ＬＡＮ規格に対応して無線ＬＡＮボード１０とそれぞれ接続できるように設けられている。以下，コンピュータ本体に接続される順番にしたがって，便利上，無線ＬＡＮボード１０を第１ボードといい，無線送受信部２０，３０は，第２ボードという。また，以下では第２ボードが無線増無線信部２０である場合を中心に説明するが，無線送受信部３０が第２ボードである場合にも，同一に適用される。
【００２４】
第１ボード１０には，システム本体３のＰＣＭＣＩＡスロット６に接続される本体接続部１２と，第２ボード２０が接続される第２ボード接続部１７と，メモリ部１１と，第２ボードの接続可否を感知する第２ボード接続感知部１５と，制御部１３とが設けられる。制御部１３は，第２ボード２０の接続時に本体接続部１２を通じて提供されるシステムデータをメモリ部１１を通じてバッファリングしてパケットデータに切り換えて，第２ボード接続部１７を通じて第２ボード２０に提供されるようにする。そして，第２ボード２０の未接続時には，メモリ部１１にシステムデータが貯蔵されるように制御する。
【００２５】
したがって，制御部１３は，第２ボード接続感知部１５から出力される感知信号に基づいて，第２ボード２０の接続を感知して，第２ボード２０の接続時にＰＣＭＣＩＡスロット６から提供されるデジタルデータをネットワークデータの電送単位であるパケットデータに切り換え，及び外部の端末機へのアクセスを制御するＭＡＣ（Ｍｅｄｉａ　Ａｃｃｅｓｓ　Ｃｏｎｔｒｏｌ）制御部１３ａの機能と，第２ボード２０の未接続時に本体接続部１２から提供されたシステムデータをメモリ部１１に貯蔵するメモリ制御部１３ｂの機能を含む。
【００２６】
システム本体３のＰＣＭＣＩＡ制御部４によりシステムデータが第１ボード１０に提供されると，制御部１０は，ビット単位であるシステムデータをパケット単位のネットワークデータに切り換えて第２ボード２０に提供する。
【００２７】
一方，第１ボード１０に着脱できるように接続される第２ボード２０には，アンテナ２５と，アンテナ２５から受信された高周波信号から中間周波数を除去して低周波アナログ信号に切り換えるベースバンド処理部２１と，ベースバンド処理部２１から出力されるアナログ信号をデジタル信号に切り換え，及び第１ボードから出力される電気的なデジタル信号をアナログ信号に切り換えるアナログデジタルコンバータ２２と，アナログデジタルコンバータ２２から出力される信号を固有の中間周波数を有するアナログ信号に切り換えてアンテナ２５を通じて送信するＲＦ処理部２３が設けられる。このように，異なる無線規格の第２ボードである無線送受信部３０にも，アンテナ３５と，ベースバンド処理部３１と，アナログデジタルコンバータ３２と，ＲＦ処理部３３とが設けられている。
【００２８】
ここで，それぞれのベースバンド処理部２１，３１は，無線ＬＡＮ規格が８０２．１１ｂまたは８０２．１１ａに応じて異なる復調方式を使用する。無線ＬＡＮ規格が８０２．１１ｂである場合，ＣＣＫ（Ｃｏｍｐｌｅｍｅｎｔａｒｙ　Ｃｏｄｅ　Ｋｅｙｉｎｇ）復調方式を使用し，８０２．１１ａである場合には，ＯＦＤＭ（Ｏｒｔｈｏｇｏｎａｌ　Ｆｒｅｑｕｅｎｃｙ−Ｄｉｖｉｓｉｏｎ　Ｍｕｌｔｉｐｌｅｘｉｎｇ）復調方式を使用する。
【００２９】
また，それぞれのＲＦ処理部２３，３３は，無線ＬＡＮ規格が８０２．１１ｂである場合，２．４ＧＨｚＲＦ処理部と，８０２．１１ａである場合５ＧＨｚＲＦ処理部が設けられている。
【００３０】
システム本体３に第１ボード１０及び第２ボード２０の接続による各ブロックの駆動過程を述べると，次の通りである。第１ボード１０がシステム本体３のＰＣＭＣＩＡスロット６に接続されると，接続信号がＰＣＭＣＩＡ制御部４に印加される。ＰＣＭＣＩＡ制御部４は，第１ボード１０のメモリ部１１のレジスターを初期化する。その後，第１ボード１０の第２ボード接続部１７に第２ボード２０が接続されると，後述する第２ボード接続感知部１５の感知回路が第２ボード２０のグラウンドに連結されて，ロー信号が第１ボード１０の制御部１３に設けられたＭＡＣ制御部１３ａに印加される。ＭＡＣ制御部１３ａは，ＰＣＭＣＩＡスロット６を通じてＰＣＭＣＩＡ制御部４にインタラプト信号を出力する。その後，ＰＣＭＣＩＡ制御部６は，インタラプト信号に基づいて第１ボード１０を無線ＬＡＮカードと認識し，無線送信するデータを制御部１３に提供する。制御部１３は，システム本体３から提供されたシステムデータをパケットデータに切り換えて，第２ボード接続部１７を通じて第２ボード２０に出力する。
【００３１】
一方，第２ボード２０，３０では，ネットワークデータを変調してアンテナ２５，３５を通じて送信し，アンテナ２５，３５を通じて受信された高周波信号を復調して第１ボード１０の制御部１３に提供する。また，第１ボード１０の制御部１３は復調された信号を，さらにビット単位のデジタルデータに切り換えてＰＣＭＣＩＡスロット６を通じてシステム本体３に提供する。
【００３２】
図３，図４は，図２の第２ボード接続感知部の回路図である。図３，図４に示すように，第１ボード１０には第２ボード接続部１７に，第２ボード２０の接続による接続信号を発生する第２ボード接続感知部１５として，第１ボード１０の内部電源回路（図示せず）に連結された抵抗１５ａを有する。第２ボード接続感知部１５の抵抗１５ａは，第１ボード１０と第２ボード２０の接続時に第２ボード２０のグラウンドと連結されてロー信号を出力する。しかし，第２ボード２０の未接続時には，感知回路波ハイ信号を出力する。したがって，制御部１３は，第２ボード接続感知部１５で発生するハイ／ロー信号に基づいて第２ボード２０の接続可否を判断することができる。
【００３３】
図５は，本実施の形態によるメモリカード機能を有する無線ＬＡＮカードの，制御フローチャートである。図５に示すように，Ｓ１で，メモリ部と無線ＬＡＮカード制御部とを有する第１ボード（無線ＬＡＮボード）と，高周波信号に変復調して無線送受信する無線送受信部を有する第２ボード（無線送受信ボード）を設ける（Ｓ１）。Ｓ３で，システム本体３に第１ボード１０を装着すると（Ｓ３），システム本体３の中央処理装置ＣＰＵは，第１ボード１０をメモリカードと認識してシステムデータを第１ボード１０に出力する。第１ボード１０は，Ｓ５で，システム本体３から提供されるシステムデータをメモリ部１１に貯蔵する（Ｓ５）。後に，Ｓ７で，第１ボード１０に第２ボード２０が接続される場合（Ｓ７），制御部１３は，Ｓ９で，上述した第２ボード接続感知部１５によりこれを感知して，第２ボード２０の接続時にインタラプト（無線ＬＡＮモードに切り換え）信号をシステム本体３に提供する（Ｓ９）。後に，第１ボード１０の制御部１３は，Ｓ１１で，システム本体３から提供されるシステムデータをパケットデータに切り換えて第２ボード２０に出力する（Ｓ１１）。第２ボード２０は，Ｓ１３で，第１ボード１０から提供されたパケットデータを，高周波信号に変調してアンテナを通じて無線送受信する（Ｓ１３）。
【００３４】
このような構成により，ＰＣＭＣＩＡＬＡＮカードのＭＡＣ制御部（ＭＡＣ）とＲＦ部（ＰＨＹ）にそれぞれ該当する無線ＬＡＮボードと無線送受信ボードを着脱できるようにすることにより，無線ＬＡＮ規格を８０２．１１ａと８０２．１１ｂのいずれか一つを選択する場合，ベースバンド処理部を有するＲＦ部（ＰＨＹ）をＭＡＣ制御部（ＭＡＣ）に結合して無線ＬＡＮの周波数規格を選択することができる。即ち，８０２．１１ａまたは８０２．１１ｂに交替し，ＭＡＣ制御部（ＭＡＣ）を変更せずに，ＲＦ部（ＰＨＹ）だけを交替すればよい。このため，媒体接近制御（ＭＡＣ）層に対する購買費用が減り，低コストで様々な公衆波中間周波数（Ｉ／Ｆ）を利用することができる。また，製造メーカー側では，国別に異なる周波数規格に対する製品の製造時に，各国周波数規制以下のＲＦ処理部とベースバンド処理部を有するボードを製造することにより，生産効率が向上する。また，ＰＣＭＣＩＡ無線ＬＡＮカードにメモリ部を追加してメモリカードとして使用することができる。
【００３５】
以上，本発明に係る好適な実施の形態について説明したが，本発明はかかる構成に限定されない。いわゆる当業者であれば，特許請求の範囲に記載された技術思想の範囲内において，各種の修正例および変更例を想定し得るものであり，それらの修正例および変更例についても本発明の技術範囲に包含されるものと了解される。
【００３６】
【発明の効果】
上述したように，本発明によれば，メモリカードとして活用することができ，しかも，無線送受信部を希望する無線周波数規格に容易に交替することができる無線ＬＡＮカード及び無線ＬＡＮカードの制御方法が提供された。
【図面の簡単な説明】
【図１】図１は，本実施の形態による携帯用コンピュータの斜視図である。
【図２】図２は，図１のＰＣＭＣＩＡ無線ＬＡＮカードの内部ブロック図である。
【図３】図３は，図２の第２ボード接続感知部の回路図である。
【図４】図４は，図２の第２ボード接続感知部の回路図である。
【図５】図５は，本実施の形態による無線ＬＡＮカードの制御フローチャートである。
【符号の説明】
１　　携帯用コンピュータ
３　　システム本体
５　　ＰＣＭＣＩＡカードベイ
６　　ＰＣＭＣＩＡスロット
１０　　第１ボード（無線ＬＡＮボード）
１２　　本体接続部
１３　　制御部
１３ａ　ＭＡＣ制御部
１３ｂ　メモリ制御部
１５　　第２ボード接続感知部
１７　　第２ボード接続部
２０，３０　　アナログデジタル（Ａ／Ｄ）コンバータ
２１　　ＣＣＫベースバンド処理部
２３　　２．４ＧＨｚ　ＲＦ処理部
２５　　アンテナ
３１　　ＯＦＤＭベースバンド処理部
３３　　５ＧＨｚ　ＲＦ処理部
【図１】
2004112753.tif 000003
【図２】
2004112753.tif 000004
【図３】
2004112753.tif 000005
【図４】
2004112753.tif 000006
【図５】
2004112753.tif 000007